(57)【特許請求の範囲】
【請求項１】
左右両側を略円柱状とし、中途部位に左右両側よりも大きい径による太型突出部分を有しているピン支持軸を採用し、ピンの後端側基部において、ピン支持軸を挿貫させ、かつ該太型突出部分が嵌合する穴を設け、耳当部と結合している一対の軸受部に設けた穴に対し、それぞれピン支持軸の左右両側の略円柱状部分を回転自在に挿貫した状態とし、ピン支持軸の前記太型突出部分の径が、該一対の軸受部に設けた穴の径よりも大きいことによるピンの接合構造を有していることを特徴としているピアス。
【請求項２】
金型によって軸受部が耳当部と一体成形としたことを特徴とする請求項１記載のピアス。
【請求項３】
耳当部の下端略中央位置においてピンが回転するために設けた切込による溝の形状を、下方となるに従って両側に順次広幅となるような略Ｖ状形状であることを特徴とする請求項１記載のピアス。
【請求項４】
耳当部を耳に当接した場合、耳当部の下方を当該当接している側と反対の側に順次湾曲していることを特徴とする請求項１記載のピアス。
【請求項５】
耳の裏側から、該耳当部に対応する位置において、弾性的に当接し得る接合部材を、耳当部における耳と当接する面が存在する位置に向けて付勢する弾性力を以って回転自在に設けることによってイヤリングと兼用することができることを特徴とする請求項１記載のピアス。
【発明の詳細な説明】
【０００１】
【発明の属する技術分野】
本発明は、ピンの支持構造を抜本的に改良したことによるピアスに関するものである。
【０００２】
【従来の技術】
ピアスは、図面４に示すように装飾部分の上端において下側に突出する耳当部を設け、該耳当部は耳たぶに設けた穴に挿通するピンを、ピン支持軸及び軸受部を介して回転自在に支持した状態となっている。
【０００３】
従来技術によるピアスのピンの支持構造においては、大抵の場合、図５（ａ）に示すように、ピンの本体部分を左右両側に略円柱形状のピン支持軸が突出している基部とをロウ付けし、更に左右両側のピン支持軸を一対の軸受部に設けた穴に両側において挿貫し、更に図面５（ｂ）に示すように、ピン支持軸を既に挿貫している軸受部を耳当部の裏側にロウ付けをすることによって接合していた。
【０００４】
しかしながら、ピンの本体とピン支持軸を有するピンの基部とのロウ付け構造においては、本体とピンとがロウ付けの接合部分において折れ易いという欠点を免れることができない。
【０００５】
しかも、一対の軸受部を耳当部の裏側にロウ付けした場合には、ロウ付けの位置が不安定であるため、図６（ａ）、（ｂ）に示すように、上下方向の位置が不適切の場合には、ピンが耳たぶの穴を挿通する場合の位置が略水平とならない場合が存在すると共に、図６（ｃ）に示すように、ピンが移動するために設けた耳当部の下側における略Ｕ字状の切込部分において、ピン本体の位置が左右方向においてもずれが生じ、切込部分の最上端と当接することができないため、ピンによって耳たぶの穴を挿通する場合、略水平方向とすることも少なからず生じていた。
【０００６】
【発明が解決しようとする課題】
本発明は、従来技術によるピアスの接合構造における前記の如き欠点を克服し、可能な限りロウ付けを排したピンの耳当部に対する接合構造を提供することを課題としている。
【０００７】
【課題を解決するための手段】
前記課題を解決するため、本発明の構成は、左右両側を略円柱状とし、中途部位に左右両側よりも大きい径による太型突出部分を有しているピン支持軸を採用し、ピンの後端側基部において、ピン支持軸を挿貫させ、かつ該太型突出部分が嵌合する穴を設け、耳当部と結合している一対の軸受部に設けた穴に対し、それぞれピン支持軸の左右両側の略円柱状部分を回転自在に挿貫した状態とし、ピン支持軸の前記太型突出部分の径が、該一対の軸受部に設けた穴の径よりも大きいことによるピンの接合構造を有していることを特徴としているピアスからなる。
【０００８】
【発明の実施の形態】
本発明のピン３は、従来技術の場合と異なり、ピン本体３１と基部３２とが一体成形にされている。
【０００９】
そして、ピン支持軸４は図７（ａ）に示すように、略円柱形状である左右両側の中途部位において、左右両側の径よりも大きな径を有している太型突出部分４１を設けており、図７（ｂ）に示すように、ピン３の基部３２は単に左右両側の円柱状部分を挿貫するだけでなく、ピン支持軸４を一方側から挿入することによって、該太型突出部分４１と嵌合するように設計されている。
【００１０】
このように太型突出部分４１を有しているピン支持軸４とピン３の基部３２とを嵌合状態としたうえで、図７（ｃ）に示すように、一対の軸受部２の穴に対しピン支持軸４の左右両側部分を挿通させた場合において、太型突出部分４１の径を軸受部２の穴の径よりも大きく設計してあるために、ピン支持軸４は両側の一対の軸受部２から外れることはない。
【００１１】
他方、太型突出部分４１を嵌合させているピン３の基部３２もまた、太型突出部分４１の径よりも当然大きな径を有していることから、両側一対の軸受部２から外れることは、あり得ない。
【００１２】
図７（ｃ）に示すようなピン３、ピン支持軸４及び軸受部２の一体構成において、一対の軸受部２を、耳当部１の裏側にロウ付けすることによって、耳当部１とピン３との接合構造を実現することは、当然に可能である。
但し、このような軸受部２と耳当部１とのロウ付け構造とは別に、図７（ｄ）に示すように、一対の軸受部２を予め金型によって耳当部１と一体成形によって結合し、図７（ｃ）に示すような一対の軸受部２の穴に対するピン支持軸４の左右両側部分の挿通を、図７（ｅ）に示すような耳当部１に一体として成形された一対の軸受部２を弾性的にこじ開けることによっても実現することができ、このような製造方法はロウ付けの場合に比し極めて簡便である。
【００１３】
しかも、当初から軸受部２を耳当部１と金型によって一体成形しているので、図６（ａ）、（ｂ）、（ｃ）に示すような不正確な結合構造を当初から避けることが可能であり、使用の際ピン３を略水平方向による正規の方向を向くような、ピン３と耳当部１との接合構造を実現することができる。
【００１４】
以下、実施例に従って本発明の具体的態様を説明する。
【００１５】
【実施例１】
従来技術の項において説明したように、耳当部１の下端かつ左右方向略中央位置には、ピン３が移動するための略Ｕ字状の切込が設けられている（図６（ｃ）参照）。
【００１６】
本発明において、前記のように一対の軸受部２を耳当部１に対し金型によって一体成形にした場合には、軸受部２と耳当部１との結合位置は当初から正確に設定されている。
【００１７】
従って、ピン本体３１が移動する下側の切込部は、従来技術のような略Ｕ字状とする必要が無い。
【００１８】
即ち、図１に示すように下側の切込部分の形状を、下方となるに従って順次幅広とする略Ｖ字状形状に設定することもできる。
【００１９】
そしてこのような順次広幅形状とすることによって、ピン本体３１は切込部分の端縁と摺動すること無く、使用時及び不使用時に即して上下方向に自在に回転移動することができる。
【００２０】
【実施例２】
通常、耳当部１は平板構造に設計されている場合が多い。
【００２１】
しかしながら、このような平板構造では、耳当部１端部付近において、耳当部１の接触している部位とそうでない部位との間の急激な変化により、違和感を感ずることを免れることができない。
【００２２】
実施例２においては、耳当部１の下方を、図２に示すように、耳当部を耳に当接した場合、耳当部の下方を当該当接している側と反対の側に順次湾曲することによって、耳当部１と耳たぶとの当接による間隔が順次減少することによって、前記違和感を減少させている。
【００２３】
このような湾曲構造によって、ピアスの快適な当接を実現することが可能となる。
【００２４】
【実施例３】
近年では、ピアスをイヤリングと兼用して使用する構成が採用されている。
【００２５】
そして、本発明においても、このような兼用を適用することは十分可能である。
【００２６】
実施例３に１に対応する位置において、弾性的に当接し得る接合部材６を、耳当部における耳と当接する面が存在する位置に向けて付勢する弾性力を以って回転自在に設けている。
【００２７】
このような構成においては、ピン３を下方に垂下した状態としたうえで接合部材６を耳たぶに対し耳当部１を反対側から当接した場合には、イヤリングとして使用することができる。
【００２８】１の反対側から間接的に耳たぶに対し当接した場合には、ピアスとして使用することもできる。
【００２９】
即ち、実施例３においては、イヤリングと兼用するピアスを実現することが可能である。
【００３０】
【発明の効果】
以上のような本発明においては、ピンとピン支持軸との接合構造において既にロウ付けによる接合を排しており、極めて簡便な接合が実現できるだけでなく、必要に応じては軸受部と耳当部との接合においてもロウ付けを排しており、これによって接合工程を単純化し得るだけでなく、ピンに対する支持位置を極めて正確に実現でき、快適なピアスの装着が可能となる。
【００３１】
しかも前記実施例１、２、３は、固有の作用効果を有していることは前記の通りである。
【００３２】
このように、本発明は、製造工程及び装着において様々な効果を発揮することができるので、その価値は絶大である。
【図面の簡単な説明】
【図１】実施例１による耳当部の構成を示す正面図
【図２】実施例２による耳当部の構成を示す側面図
【図３】イヤリングと兼用している場合の構成を示す側面図
【図４】ピアスの通常の構成を示す側面図である。
【図５】従来技術の構成を示す図面であって、（ａ）はピン本体と基部との接合状態を示す側面図であり、（ｂ）はピン支持軸と一体をなしたピン及びその基部を一対の軸受部の穴に挿通したうえで、耳当部の裏側にロウ付けを行った状態を示す上面図である。
【図６】従来技術において、耳当部に対し軸受部を正確な位置に結合できない場合を示しており、（ａ）、（ｂ）は上下方向において不正確な位置に結合した場合の側面図であり、（ｃ）は左右方向において不正確な位置に結合した場合の正面図である。
【図７】本願発明の基本構成を示しており、（ａ）はピン支持軸の構成を示す側面図であり、（ｂ）はピン支持軸をピンの一部の一方側から挿貫しかつ嵌合した状態を示す側面図であり、（ｃ）はピンの基部に挿貫及び嵌合しているピン支持軸が一対の両側の軸受部の穴に挿通した状態を示す上面図であり、（ｄ）は一対の両側の軸受部を耳当部に対し予め金型によって一体成形を行った場合の見取図であり、（ｅ）は軸受部を両側にこじ開けた場合の状態を示す上面図である。
【符号の説明】
１：耳当部
２：軸受部
３：ピン
３１：ピン本体
３２：基部
４：ピン支持軸
４１：太型突出部分
５：切込部
６：接合部材
７：装飾部
８：接合部材に対する支持部
【図１】
0003578449.tif 000002
【図２】
0003578449.tif 000003
【図３】
0003578449.tif 000004
【図４】
0003578449.tif 000005
【図５】
0003578449.tif 000006
【図６】
0003578449.tif 000007
【図７】
0003578449.tif 000008